(57)【要約】【課題】操作手段としてジョイスティックを有する機器を外から操作することが可能な防水ケースを提供する。【解決手段】機器を収納するとともに防水機能を有する外郭８と、機器の操作手段であるジョイスティック１の操作部２に係合する係合部材４と、その係合部材４をジョイスティック１の操作部２に係合した状態で傾斜させ得る操作部材７とを有し、係合部材４を外郭８の内部に配置し、操作部材７を外郭８の外から操作可能に配置する。【選択図】図５
2006208549.tif 000002
【特許請求の範囲】
【請求項１】
機器を収納するとともに防水機能を有する外郭と、前記機器の操作手段であるジョイスティックの操作部に係合する係合部材と、その係合部材を前記ジョイスティックの操作部に係合した状態で傾斜させ得る操作部材とを有し、前記係合部材を前記外郭の内部に配置し、前記操作部材を前記外郭の外から操作可能に配置した防水ケース。
【請求項２】
前記係合部材が前記ジョイスティックの操作部に連結される連結部と、その連結部を前記操作部に連結した状態で前記機器の前記ジョイスティックを設けた面にほぼ平行に配置する作用部からなり、前記操作部材が前記外郭の外から押圧操作可能な押圧操作部と、その押圧操作部への押圧操作により前記係合部材の作用部の、前記ジョイスティックの操作部軸線を外した箇所を、前記ジョイスティックを設けた面に向かって押圧することによって前記係合部材を傾斜させる押圧部からなる請求項１記載の防水ケース。
【請求項３】
前記係合部材の連結部が棒状に形成されるとともに一端が前記作用部のほぼ中心に固定され、前記操作部材の押圧操作部への押圧操作により前記押圧部が前記係合部材の作用部の軸心から離れた部分を、前記ジョイスティックを設けた面に向かって押圧する構成とした請求項２記載の防水ケース。
【請求項４】
前記操作部材の押圧部による前記ジョイスティックを設けた面に向かう押圧力により、前記ジョイスティックを設けた面にほぼ平行となる力が前記係合部材の作用部にかかるように、前記係合部材の作用部と前記操作部材の押圧部が接触する部分では、前記係合部材の作用部と前記操作部材の押圧部の少なくとも一方に傾斜面を形成した請求項２または３記載の防水ケース。
【発明の詳細な説明】
【技術分野】
【０００１】
本発明は、カメラ、ビデオカメラ等の機器を収納し、水のかかる場所での操作あるいは水中での操作を可能にする防水ケースに関するものである。
【背景技術】
【０００２】
近年、水辺での撮影や水中撮影を行う目的で、デジタルカメラを含むカメラやビデオカメラを覆う防水ケースが提案されている。特にスキューバーダイビングを楽しむ人が増えるに従って水中の映像を残したいという要望が増え、防水ケースの需要が高まってきた。
【０００３】
一方、カメラやビデオカメラは使用者の多種多様な要望、画質向上に対する要望を受けて多機能化や高性能化が進むとともに、携帯性向上や操作性向上の要望から小型軽量化が進んでいる。
【０００４】
カメラやビデオカメラの多機能化は、ややもすると操作が複雑となる可能性がある。多機能化すると撮影モードや映像確認モード（再生モード）などのモード選択と、選択されたモードにおける設定選択が必要となる。
【０００５】
例えば、モード選択で撮影モードを選択した場合、「通常画質」「高画質」など複数の設定から選択することになる。他のモードにおいても複数の設定から選択することになる。
【０００６】
そして、各モードの設定選択の手段としては、（１）図９に示すようにモード毎に設定選択用のスイッチ３１ａ〜３１ｅを設ける。（２）画像などの表示を確認しながら、図１０に示すようなダイヤル３２やスイッチ３３によりモードおよび選択モードにおける設定を選択し、設定を確定するためにダイヤル３２やスイッチ３３を矢印Ａ、Ｂ方向に押す。という方式が提供されている。
【０００７】
しかし、上記（１）の場合スイッチ３１ａ〜３１ｅを配置する場所が必要となり、機器の小型化の妨げとなり兼ねない。また、上記（２）の場合、各モードで選択できる設定全ての表示を見ながら選択したい設定を選ぶことになり、設定操作が煩わしくなり兼ねない。
【０００８】
そこで、上記（１）（２）のような不具合を解消するため、図１１に示すように十字上に配列された４つの選択ボタン３４ａ〜３４ｄおよび選択した設定を確定する確定ボタン３５を設ける構成がある。設定選択用の表示画面（図示せず）を見ながら選択ボタン３４ａ、３４ｃによりモードを選択し、選択ボタン３４ｂ、３４ｄにより設定を選択する。そしてボタン３５により選択した設定を確定する。
【０００９】
さらに、図１２に示すように図１１の選択ボタン３４ａ〜３４ｄおよび確定ボタン３５に代って、選択ボタン３４ａ〜３４ｄおよび確定ボタン３５を一体化した十字ボタン３６を用いることも可能である。十字ボタン６の場合は十字上に位置する操作部６ａ〜６ｄおよび中央の確定操作部３６ｅを押圧操作することになる。
【００１０】
図１１、図１２の構成の場合、図９の構成に比べて設定選択ボタンの数を少なくすることができ、図１０の構成に比べて設定操作の煩わしさを解消することが可能である。
【００１１】
そして、図１３は、図１１の選択ボタン３４ａ〜３４ｄおよび確定ボタン３５あるいは図１２の十字ボタン３６を設けた機器３７（ビデオカメラ）を防水ケース３８に納めた状態を示す。
【００１２】
防水ケース３８には、収納した機器３７の各種ボタンを操作する操作ボタン（図１３では図示せず）が設けられており、各操作ボタンの取付部には防水ケース３８内に水が浸入するのを防止する構造となっている。
【００１３】
機器３７に設けた図１１の選択ボタン３４ａ〜３４ｄおよび確定ボタン３５あるいは図１２の十字ボタン３６を操作するため、防水ケース３８には図１４に示すように十字ボタン３９が配置されている。
【００１４】
図１５に防水ケース３８に設けた操作用十字ボタン３９と防水ケース３８内の機器３７に設けた十字ボタン３６の位置関係を示す。操作用十字ボタン３９は指が触れる操作部３９ａと弾性を有し防水機能を兼ねた保持部３９ｂを有する。
【００１５】
操作用十字ボタン３９と機器３７の十字ボタン３６の間には、弾性を有し通常は操作用十字ボタン３９を非操作位置（十字ボタン３６から離れる位置）に保持する押圧部４０ａ、４０ｂが設けられている。なお、図示しないが押圧部４０ａ、４０ｂのほかに押圧部４０ａ、４０ｂとともに十字上に配置されるように２つの押圧部を有する。
【００１６】
操作用十字ボタン３９に十字上に配置された操作部３９ａを押すと操作部３９ａに対応した押圧部４０ａが機器３７の十字ボタン３６の操作部分を押し、機器３７が操作される。（特許文献１参照）
しかしながら、機器３７に対する小型化、操作性向上の要望がさらに高まっている。
【００１７】
これに対して、図１１に示す構成では独立した選択ボタン３４ａ〜３４ｄを４つ配置するスペースが必要であり、図１２に示す構成では押し間違い操作防止のため十字ボタン３６の操作部３６ａ〜３６ｄの位置をそれぞれある程度離す必要があり、結果として十字ボタン３６の小型化には限度があるので十字ボタン３６であっても配置スペースを大きく取る必要がある。
【００１８】
そこで、ビデオカメラ、デジタルカメラなどの機器に採用されたのが、図１６に示すジョイスティック４１である。
【００１９】
ジョイスティック４１の操作は操作部４２を十字方向にずらすことでモード選択および設定選択を行い、操作部４１ａを垂直方向に押すことで選択した設定を確定する。そして、ジョイスティック４１は中央に配置された操作部４１ａひとつで以上の操作ができるため、機器の表面に占める面積を極端に小さくすることができ、結果とした機器の小型化につながる。
【特許文献１】特開２００４−３１７８４４号公報
【発明の開示】
【発明が解決しようとする課題】
【００２０】
このように、機器にジョイスティック４１を採用することによって機能、操作性を落とすことなく機器の小型化を実現できるが、その機器を防水ケースに収納しようとしても、ジョイスティック４１を防水ケースの外から操作する機構が提案されておらず、ジョイスティック４１を有する機器を防水ケースに収納して操作することができなかった。
【００２１】
本発明は、上記課題を解決するもので、操作手段としてジョイスティックを有する機器を外から操作することが可能な防水ケースを提供することを目的とするものである。
【課題を解決するための手段】
【００２２】
上記目的を達成するために本発明は、機器を収納するとともに防水機能を有する外郭と、前記機器の操作手段であるジョイスティックの操作部に係合する係合部材と、その係合部材を前記ジョイスティックの操作部に係合した状態で傾斜させ得る操作部材とを有し、前記係合部材を前記外郭の内部に配置し、前記操作部材を前記外郭の外から操作可能に配置したものである。
【発明の効果】
【００２３】
外郭の外から操作可能な操作部材とジョイスティックの操作部の間に、操作部材の操作によって傾斜する係合部材を配置することにより、ジョイスティックを有する機器であっても外郭の外からジョイスティックを操作することができ、ジョイスティックを有する機器を収納し、かつ機器の操作が可能となる防水ケースを提供することができる。
【発明を実施するための最良の形態】
【００２４】
上記目的を達成するために本発明は、機器を収納するとともに防水機能を有する外郭と、機器の操作手段であるジョイスティックの操作部に係合する係合部材と、その係合部材をジョイスティックの操作部に係合した状態で傾斜させ得る操作部材とを有し、係合部材を外郭の内部に配置し、操作部材を外郭の外から操作可能に配置したものである。
【００２５】
この構成により、ジョイスティックを有する機器であっても外郭の外からジョイスティックを操作することができ、ジョイスティックを有する機器を収納し、かつ機器の操作が可能となる防水ケースを提供することができる。
【００２６】
また、本発明は、係合部材がジョイスティックの操作部に連結される連結部と、その連結部を操作部に連結した状態で機器のジョイスティックを設けた面にほぼ平行に配置する作用部からなり、操作部材が外郭の外から押圧操作可能な押圧操作部と、その押圧操作部への押圧操作により係合部材の作用部の、ジョイスティックの操作部軸線を外した箇所を、ジョイスティックを設けた面に向かって押圧することによって係合部材を傾斜させる押圧部からなるものである。
【００２７】
係合部材にジョイスティックを設けた面にほぼ平行に配置する作用部を設けるとともに、押圧操作部の押圧部が作用部のジョイスティック操作部軸線を外した箇所を、押圧することによって係合部材を傾斜させる構成としたことにより、外郭から押圧操作部を押圧操作することで係合部材の傾斜を介してジョイスティックが操作できるので、外郭内に収納したジョイスティックを有する機器の操作が可能となる防水ケースを提供することができる。
【００２８】
また、本発明は、係合部材の連結部が棒状に形成されるとともに一端が作用部のほぼ中心に固定され、操作部材の押圧操作部への押圧操作により押圧部が係合部材の作用部の軸心から離れた部分を、ジョイスティックを設けた面に向かって押圧する構成としたものである。
【００２９】
操作部材の押圧操作により押圧部が係合部材の作用部の軸心から離れた部分押圧する構成としたことにより、外郭から押圧操作部を押圧操作することで係合部材の傾斜を介してジョイスティックが操作できるので、外郭内に収納したジョイスティックを有する機器の操作が可能となる防水ケースを提供することができる。
【００３０】
さらに、本発明は、操作部材の押圧部によるジョイスティックを設けた面に向かう押圧力により、ジョイスティックを設けた面にほぼ平行となる力が係合部材の作用部にかかるように、係合部材の作用部と操作部材の押圧部が接触する部分では、係合部材の作用部と操作部材の押圧部の少なくとも一方に傾斜面を形成したものである。
【００３１】
係合部材の作用部と操作部材の押圧部が接触する部分に傾斜面を形成する構成としたことにより、外郭から押圧操作部を押圧操作することで係合部材の傾斜を介してジョイスティックが操作できるので、外郭内に収納したジョイスティックを有する機器の操作が可能となる防水ケースを提供することができる。
【実施例】
【００３２】
（実施例１）
図１はビデオカメラ（図示せず）に設けられたジョイスティック１を示す。
【００３３】
ジョイスティック１の中央には操作部２が設けられており、操作部２はジョイスティック１に表示された矢印１ａ〜１ｄと同方向である矢印２ａ〜２ｄ方向にスライド操作可能であり、ジョイスティック１を設けた面３に向って矢印２ｅ方向に押圧操作可能である。
【００３４】
操作部２を矢印２ａ〜２ｄ方向にスライド操作することにより、ビデオカメラの撮影画質などについて設定を選択し、操作部２を矢印２ｅ方向に押圧操作することにより、選択された設定が確定する。なお、ジョイスティック１の操作部２には穴２ｆが形成されている。
【００３５】
図２は本発明の一実施例における防水ケースの外郭内に位置する係合部材を示す。
【００３６】
係合部材４は棒状に形成された連結部５と略円板状に形成された作用部６からなり、
連結部５は作用部６のほぼ中心に固定されている。作用部６は略円板状であるとともに、周囲に傾斜面６ａを形成することによって皿形状となっている。
【００３７】
図３はジョイスティック１に係合部材４を連結した状態を示す。連結はジョイスティック１の操作部２に形成した穴２ｆに係合部材４の連結部５を嵌合させることによって行っている。
【００３８】
係合部材４を矢印４ａあるいは矢印４ｃ方向に傾斜するように力をかけることにより、ジョイスティック１の操作部２が矢印２ａあるいは矢印２ｃ方向にスライド操作される。さらに係合部材４を矢印４ｅ方向に押圧することにより、ジョイスティック１の操作部２が矢印２ｅ方向に押圧操作される。
【００３９】
図４は防水ケースの使用者が直接操作する操作部材を示す。
【００４０】
操作部材７は防水ケースの外郭８を貫通するように配置されているとともに、防水ケースの使用者が押圧操作する押圧操作部９と、押圧操作部９への押圧操作により外郭８の内部に配置された係合部材４（図示せず）を、ジョイスティック１（図示せず）を設けた面３（図示せず）に向って押圧する押圧部１０からなる。
【００４１】
バネ１１は操作部材７を外側（非押圧操作側）に付勢するものであり、ゴムパッキン１２は外郭８内に水が浸入するのを防ぐものである。
【００４２】
図５は操作部材７と係合部材４とジョイスティック１の配置を示す。
【００４３】
図５（ａ）は操作部材７を押圧操作していない状態を示し、図５（ｂ）は操作部材７を押圧操作した状態を示す。操作部材７の押圧操作部９を押圧操作することにより押圧部１０が係合部材４の作用部６に形成した傾斜面６ａを、ジョイスティック１を設けた面３に向って押圧する。
【００４４】
押圧部１０の押圧力を傾斜面６ａに受けた係合部材４の作用部６は、押圧部１０の先端が傾斜面６ａをすべるように矢印４ｃ方向に傾斜する。この係合部材４の傾斜に伴い、係合部材４の連結部５に連動してジョイスティック１の操作部２が矢印２ｃ方向にスライドする。
【００４５】
以上のような動作により、防水ケースの外郭８の外から操作部材７の押圧操作部９を操作することによって、外郭８内に収納された機器のジョイスティック１を操作できるので、ジョイスティック１を設けた機器を収納し、かつ不都合無く機器を操作できる防水ケースを提供することができる。
（実施例２）
図６は本発明の他の実施例における防水ケースに設ける係合部材を示す。
【００４６】
実施例１で説明した係合部材４の作用部６には全周に傾斜面６ａを形成したが、傾斜面６ａは必ずしも全周に形成する必要はなく、操作部材７の押圧部１０に対向する箇所にのみ傾斜面を形成すれば同様に作用する。図６に示すように係合部材１３の作用部１４には押圧部１０（図示せず）に対向する箇所に傾斜面１４ａ〜１４ｄを形成する。なお、作用部１４の中心には棒状の連結部１５が固定されている。
（実施例３）
図７は本発明の他の実施例における防水ケースに設ける係合部材を示す。
【００４７】
この実施例では係合部材１６の作用部１７には押圧部１０（図示せず）に対向する箇所に穴状の傾斜面１７ａ〜１７ｄを形成する。なお、作用部１７の中心には棒状の連結部１８が固定されている。穴状の傾斜面１７ａ〜１７ｄを形成することにより、作用部１７を薄くすることが可能となり、係合部材１６全体を小型化することが可能となる。
（実施例４）
図８は本発明の他の実施例における防水ケースに設ける係合部材を示す。
【００４８】
この実施例では係合部材１９の作用部２０には押圧部２１ａ〜２１ｄ（押圧部２１ｂ、２１ｄは図示せず）に対向する箇所に孔２０ａ〜２０ｄを形成する。押圧部２１ａ〜２１ｄの先端には傾斜面２２ａ〜２２ｄが形成されている。
【００４９】
押圧部２１ｃの矢印２３ｃ方向の押圧力により、係合部材１９の作用部２０には、孔２０ｃと傾斜面２２ｃの接触部分を介して、ジョイスティック１（図示せず）を設けた面３（図示せず）とほぼ平行な矢印１９ｃ方向の力がかかり、係合部材１９が傾斜する。なお、作用部２０の中心には棒状の連結部２４が固定されている。
【００５０】
以上の実施例では、係合部材４、１３、１６、１９の作用部６、１４、１７、２０を円板形状としたが、円板形状に限定されるものではなく、四角形状、十字形状などジョイスティック１を設けた面３にほぼ平行に配置され、かつ操作部材７の押圧部１０、２１ａ〜２１ｄに対向する位置に部材が形成されていれば同様の作用効果を奏する。
【産業上の利用可能性】
【００５１】
上記実施例ではビデオカメラを収納した本発明の一実施例である防水ケースについて説明したが、本発明の防水ケースは、ビデオカメラに限らずデジタルカメラやリモコンなどジョイスティックにより操作する機器を、水のかかる場所あるいは水中で操作する際に利用できる。
【図面の簡単な説明】
【００５２】
【図１】（ａ）は本発明の実施例１における防水ケースに収納される機器に設けたジョイスティックの斜視図、（ｂ）は同平面図
【図２】（ａ）は同防水ケースに設けられる係合部材の斜視図、（ｂ）は同係合部材の断面図
【図３】同防水ケースに設けられる係合部材と同防水ケースに収納される機器のジョイスティックを連結した状態を示す斜視図
【図４】（ａ）は同防水ケースに設けた操作部材の平面図、（ｂ）は同要部断面図
【図５】同防水ケースに設けた操作部材および係合部材周辺の動作説明図
【図６】（ａ）は本発明の実施例２における防水ケースに設けた係合部材の平面図、（ｂ）は同断面図
【図７】（ａ）は本発明の実施例３における防水ケースに設けた係合部材の平面図、（ｂ）は同断面図
【図８】（ａ）は本発明の実施例４における防水ケースに設けた係合部材の平面図、（ｂ）は同係合部材および操作部材の動作を説明する断面図
【図９】従来からあるビデオカメラの要部平面図
【図１０】従来からある他のビデオカメラの要部斜視図
【図１１】従来からある他のビデオカメラの要部平面図
【図１２】従来からある他のビデオカメラの要部平面図
【図１３】従来の防水ケースの斜視図
【図１４】同防水ケースの要部平面図
【図１５】同防水ケースの要部断面図
【図１６】（ａ）は従来からある他のビデオカメラの要部斜視図、（ｂ）は同平面図
【符号の説明】
【００５３】
１    ジョイスティック
２    操作部
３    面
４、１３、１６、１９    係合部材
５、１５、１８、２４    連結部
６、１４、１７、２０    作用部
６ａ、１４ａ〜１４ｄ、１７ａ〜１７ｄ、２２ａ、２２ｃ    傾斜面
７    操作部材
８    外郭
９    押圧操作部
１０、２１ａ、２１ｃ    押圧部
【図１】
2006208549.tif 000003
【図２】
2006208549.tif 000004
【図３】
2006208549.tif 000005
【図４】
2006208549.tif 000006
【図５】
2006208549.tif 000007
【図６】
2006208549.tif 000008
【図７】
2006208549.tif 000009
【図８】
2006208549.tif 000010
【図９】
2006208549.tif 000011
【図１０】
2006208549.tif 000012
【図１１】
2006208549.tif 000013
【図１２】
2006208549.tif 000014
【図１３】
2006208549.tif 000015
【図１４】
2006208549.tif 000016
【図１５】
2006208549.tif 000017
【図１６】
2006208549.tif 000018